(57)【要約】【課題】オゾンにより床面の汚れを消臭除菌する汚れ分解装置において、汚れ分解を効率良く行う。【解決手段】汚れ分解装置１は、筐体２と、筐体２内にオゾンを供給するオゾン発生部３とを備え、筐体２は、略矩形状の本体部２０と、本体部２０に対向する位置に配置される蓋部３０と、本体部２０及び蓋部３０を繋ぐ折畳み部４０とを有し、それら各部で囲まれ筐体２の開口５を有するテント状凹部１０を形成する。筐体２の開口周縁部６と汚れ７１を含む床面７０とを接触させて空間９を形成する。開口周縁部６は、ゴム６１により形成され、床面７０との接触により押圧変形する。これにより、開口周縁部６と床面７０とが強く密着されて空間９の密閉性が良くなるので、空間９内からのオゾンの漏出が抑制され、空間９内のオゾン濃度の低下が防止されて床面７０の汚れ分解を効率良く行うことができる。【選択図】図１
2009100950.tif 000002
【特許請求の範囲】
【請求項１】
少なくとも一部が開口した筐体と、オゾンを発生するオゾン発生手段と、を備え、
前記筐体をその開口に汚れを含む面が臨むように配設して前記オゾン発生手段により発生されたオゾンにより汚れを分解する汚れ分解装置であって、
前記オゾン発生手段は、前記筐体の開口周縁部と前記汚れを含む面とを接触させることにより形成された空間内にオゾンを供給し、
前記筐体の開口周縁部は、軟質の材質により形成されており、前記汚れを含む面との接触により押圧変形することを特徴とする汚れ分解装置。
【請求項２】
前記開口周縁部は、複数のモップ状の線状片で構成されていることを特徴とする請求項１に記載の汚れ分解装置。
【請求項３】
前記空間内の気圧を減圧する減圧手段を、さらに備え、
前記減圧手段は、前記オゾン発生手段が前記空間内にオゾンの供給を開始する前に、前記空間内の気圧を減圧することを特徴とする請求項１又は請求項２に記載の汚れ分解装置。
【発明の詳細な説明】
【技術分野】
【０００１】
本発明は、建物内におけるフローリングや壁などに付着した汚れをオゾンなどを用いて分解して消臭除菌を行う汚れ分解装置に関する。
【背景技術】
【０００２】
従来の汚れ分解装置として、汚れを密閉空間で覆って、この空間内に殺菌作用を有するオゾンを供給することにより、消臭除菌するものが知られている。例えば、特許文献１には、包装幕で囲った殺菌消毒室を仮設し、この殺菌消毒室に殺菌消毒しようとする寝具を隔離受容させ、紫外線及びオゾンの各発生器で発生させた紫外線及びオゾンに寝具を露出させて殺菌消毒する寝具の殺菌消毒装置が示されている。しかしながら、この装置は、床や壁などの汚れを含む面を殺菌消毒する際、特に床面に突起などが存在すると、包装幕と床面との接触が不十分となる場合があり、このため、殺菌消毒室の密閉性が低下し、人体に有害なオゾンガスが殺菌消毒室外に漏れたり、外部の空気が殺菌消毒室内に入り込むと、消臭除菌効果が低下することがあった。
【特許文献１】特表２００３−５１２１３４号公報
【発明の開示】
【発明が解決しようとする課題】
【０００３】
本発明は、上記の問題を解決するためになされたものであり、床や壁などの汚れ面を消臭除菌する汚れ分解装置において、汚れ面を覆う空間の密閉性を保って汚れ分解を効率良く行うことができる汚れ分解装置を提供することを目的とする。
【課題を解決するための手段】
【０００４】
上記目的を達成するために請求項１の発明は、少なくとも一部が開口した筐体と、オゾンを発生するオゾン発生手段と、を備え、前記筐体をその開口に汚れを含む面が臨むように配設して前記オゾン発生手段により発生されたオゾンにより汚れを分解する汚れ分解装置であって、前記オゾン発生手段は、前記筐体の開口周縁部と前記汚れを含む面とを接触させることにより形成された空間内にオゾンを供給し、前記筐体の開口周縁部は、軟質の材質により形成されており、前記汚れを含む面との接触により押圧変形するものである。
【０００５】
請求項２の発明は、請求項１に記載の汚れ分解装置において、前記開口周縁部は、複数のモップ状の線状片で構成されているものである。
【０００６】
請求項３の発明は、請求項１又は請求項２に記載の汚れ分解装置において、前記空間内の気圧を減圧する減圧手段を、さらに備え、前記減圧手段は、前記オゾン発生手段が前記空間内にオゾンの供給を開始する前に、前記空間内の気圧を減圧するものである。
【発明の効果】
【０００７】
請求項１の発明によれば、開口周縁部と汚れを含む面とを接触させて空間を形成したときに、開口周縁部が押圧変形するので、開口周縁部と汚れを含む面とを密接に接触させることができ、空間内からのオゾンの漏出が抑制され、空間内のオゾン濃度の低下が防止されて汚れ分解を効率良く行うことができる。
【０００８】
請求項２の発明によれば、開口周縁部は、複数の線状片により、より柔軟に押圧変形することができ、汚れを含む面に突起や凹凸等が存在した場合にも、汚れを含む面に密接に接触して、より密閉性の高い空間を形成することができ、汚れ分解効率が向上する。
【０００９】
請求項３の発明によれば、空間内にオゾンを供給する前に、予め該空間内を減圧するので、筐体の開口周縁部と汚れを含む面との密閉性がより良くなり、従って、オゾン供給後の空間内からのオゾンの漏出がより強く抑制され、汚れ分解効率がさらに向上する。
【発明を実施するための最良の形態】
【００１０】
（第１の実施形態）
以下、本発明の第１の実施形態に係る汚れ分解装置（以下、本装置という）について、図１乃至図４を参照して説明する。本装置１は、筐体２と、オゾンを発生するオゾン発生部（オゾン発生手段）３と、汚れ確認用光源部４とを備える。筺体２は、略矩形状の本体部２０と、本体部２０に対向する位置に配置される蓋部３０と、本体部２０及び蓋部３０を繋ぐ折畳み部４０とにより形成されている。オゾン発生部３及び汚れ確認用光源部４は、電源コード５０を介して外部ＡＣ電源に接続される。本装置１により消臭殺菌される汚れ７１を含む床面７０の部材としては、フローリング、絨毯、畳、及び壁など一般の住宅にある任意の床材が対象となる。
【００１１】
（本体部）
本体部２０は、オゾン発生部３を収納又は設置するための支持体であって、本体部２０の端部２１に蓋部３０の一端が着脱及び回転自在に取り付けられる。蓋部３０を本体部２０に対して開放させることにより、筺体２には、本体部２０、蓋部３０、及び折畳み部４０により囲まれたテント状の凹部（テント状凹部という）１０が形成され、その底面側には開口５が形成される。本装置１は、その使用時つまり、汚れの消臭殺菌時に、筐体２のテント状凹部１０が汚れ７１を含む床面７０を覆うように床面７０上に設置される。このとき、本体部２０、蓋部３０、及び折畳み部４０の床面７０と接する開口５の各周縁部は、開口周縁部６を成す。この開口周縁部６と床面７０とを接触させることにより、テント状凹部１０が密閉した空間９を形成する。
【００１２】
開口周縁部６は、軟質の材質であるゴムパッキンのようなゴム状物質（シリコン、ブタジエンなど）（以下、ゴムという）６１で形成される。ここでは、筐体２は、床面７０上に自立して設置されるため、ある程度の剛性と重さを持って形成されるので、床面７０に設置されたとき、ゴム６１よりなる開口周縁部６は、汚れ７１を含む床面７０との接触により押圧変形するようになる。従って、開口周縁部６と床面７０とを密着して接触させることができ、空間９を密閉することができる。なお、開口周縁部６の軟質の材質としては、エアークッション、水のような液体、及びクリーム状の粘性体などを用いてもよい。
【００１３】
（蓋部）
蓋部３０は、折畳み部４０を折畳んで閉じたとき、本体部２０のオゾン発生部３を覆い、本体部２０に略平行に接するように配設され、本体部２０が開放されると、オゾン発生部３が露出される。
【００１４】
（折畳み部）
折畳み部４０は、本体部２０と蓋部３０の間に設けられ、図２（ａ）（ｂ）に示されるように、蓋部３０が本体部２０から開放されると、テント状凹部１０が形成され、このとき、汚れ７０の付着した床面７０との隙間を塞いで、略密閉された空間９を構成する。この折畳み部４０は、蓋部３０を閉じるとき、図３（ａ）に示すように、折畳み部４０を２つに略対称に折畳む折畳み線４１が矢印方向に折畳まれ、図３（ｂ）に示すように、ほぼ完全に折畳まれると、全体の厚みが薄くなり、本装置１は小型でコンパクトな形状になり、持ち運び易くなる。
【００１５】
（オゾン発生部）
オゾン発生部３は、例えば、対向した電極間に高周波高電圧を印加して、空気の一部をオゾン化させることによりオゾンガスを発生させるものであり、本体部２０の空間９に臨む一面に配設される。オゾン発生部３は、発生したオゾンをテント状凹部１０内に噴出して、空間９内のオゾン濃度を高めて、床面７０に含まれる汚れ７１を分解させて消臭殺菌する。
【００１６】
（汚れ確認用光源部）
汚れ確認用光源部４は、本体部２０の端部２１に設けられユーザが汚れ位置を確認するための紫外線光を照射するものである。この紫外線は、汚れ部分に照射され、吸収されることにより可視光を励起する紫外線光（例：３１５〜４００ｎｍの波長範囲の紫外線ＵＶ−Ａ）であり、この紫外線ＵＶ−Ａは、尿素やアンモニア等で構成される汚れ部分に吸収されると、可視光を励起する。この可視光により、ユーザは汚れ部分を目で確認することができる。
【００１７】
また、汚れ確認用光源部４の光源は、砲弾型ＬＥＤを取り付けた点光源から成り、本体部２０の端部２１に固定されている。また、点光源の前面にはレンズ（不図示）が取り付けられており、蓋部３０を折畳んだときに、懐中電灯のように比較的に狭い範囲を効果的に照射できるようになっている。図４に示すように、ユーザは、この汚れ確認用光源部４の使用状態において、蓋部３０を閉じた状態の本装置１を持ち上げて汚れ確認用光源部４からの照射光８０で床面７０を照らすことにより、予め汚れ７１を見付けておくことができる。
【００１８】
汚れ確認用光源部４の光源を、点光源でなく細長い紫外線蛍光管として本体部２０内に設置した構成としてもよい。この構成においては、テント状凹部１０を組み立てた状態で、開口面全体を略一様に汚れ確認用の紫外線を照射することができる。これにより、汚れ７１を確認する際、開放状態の本装置１全体を持ち上げるだけで、汚れ７１の位置を見付けることができる。
【００１９】
上記本体部２０、蓋部３０及び折畳み部４０等のオゾンが供給されるテント状凹部１０の各内面は、テント状凹部１０内にオゾンが充満されるので、オゾンで劣化し難い部材で形成される。このオゾンで劣化し難い部材は、例えば、金属製部材（ＳＵＳ３０４のようなステンレス、表面を陽極酸化被膜処理したアルミニウム等）、一般磁器、アルミナ磁器、エンジニアリングプラスチック／ポリイミド樹脂（例えば、デュポン社製ベスペル、東レ・デュポン社製カプトンフィルム等）、及びＰＥＥＫ（ポリエーテルエーテルケトン、polyetheretherketone）樹脂（例えば、ビクトレックス・エムシー社製ベクトラ等）等を使用できる。
【００２０】
上記のように構成された本装置１を用いた消臭殺菌の手順について説明する。まず、ユーザが目視又は、汚れ確認用光源部４により汚れ確認用紫外線を照射し、予め汚れ７１の位置を見付けておく。本装置１の設定では、本体部２０から蓋部３０を開放してテント状凹部１０を形成し、このテント状凹部１０により、汚れ７１を含む床面７０を覆って、ゴム６１で形成された開口周縁部６を床面７０に密着するように押さえつける。これにより、テント状凹部１０と汚れ７１を含む床面７０とによる密閉した空間９を形成する。
【００２１】
次に、汚れ分解装置１の電源を投入すると、オゾン発生部３は、オゾンを発生して空間９内にオゾンを供給し、数秒から数十秒でオゾンを空間９内に充満する。そして、所定時間の間、オゾンガスが充満され続けると、オゾンガスが汚れ７１を取り囲んで徐々に分解し、消臭殺菌する。そして、消臭殺菌作用が終了したと予想される所定時間後に、テント状凹部１０を、床面７０から外して、消臭殺菌後の汚れ７１のチェックを行う。このチェックは、目視、又は汚れ確認用光源部４の照射により、汚れ７１の残り具合や分解度を確認することにより行い、確認ができなければ同じ動作を繰返し行う。
【００２２】
また、汚れ７１の確認時に、テント状凹部１０を床面７０から外すと同時に、本装置１の電源が自動的にオフされ、これにより、オゾンの発生を中止し、人体への悪影響を防止する。消臭殺菌作業が完了したなら、折畳み部４を畳んで蓋部３０を閉じればよい。
【００２３】
このように、本実施形態によれば、筐体２の開口周縁部６と汚れ７１を含む床面７０とを接触させて空間９を形成したときに、開口周縁部６が押圧変形するので、開口周縁部６と汚れ７１を含む床面７０とを密接に接触させることができ、空間９を密閉することができる。これにより、空間９内からのオゾンの漏出が抑制され、空間９内のオゾン濃度の低下が防止されて汚れ分解を効率良く行うことができると共に、安全性が向上する。
【００２４】
また、蓋部３０を本体部２０に対して開放するだけで、容易かつ簡単に汚れ７１を覆うテント状凹部１０を形成することができ、本装置１の組立て設置が簡単となると共に、作業終了時に、テント状凹部１０を折畳んで小さく、コンパクトにできるので、容易に持ち運ぶことができる。
【００２５】
（第２の実施形態）
次に、本発明の第２の実施形態に係る汚れ分解装置について、図５（ａ）（ｂ）を参照して説明する。本装置１は、開口周縁部６が複数のモップ状の線状片６２で構成されているものであり、その他の構成は、前記実施形態と同様である。
【００２６】
本装置１においては、開口周縁部６における複数のモップ状の線状片６２は、ゴム６１より高い軟質性を有する。従って、図５（ａ）（ｂ）に示すように、線状片６２の起毛状の部分を床面７０に当てて、開口周縁部６を床面７０に密着するように押さえ付けることにより、床面７０に突起状の部分や凹凸部分がある場合でも、空間９を密閉状態にすることができる。また、開口周縁部６と床面７０の密着が不十分な場合には、密着状態を得るように筐体２の配置設定を容易に変更できる。また、開口周縁部６の線状片６２を、より脚の長い起毛に取り替えることにより、さらに密着性を高めることもできる。
【００２７】
このように、本実施形態によれば、開口周縁部６は、複数の線状片６２により、より柔軟に押圧変形することができ、汚れ７１を含む床面７０に突起や凹凸等が存在した場合にも、床面７０に密接に接触して、より密閉性の高い密閉空間を形成することができ、汚れ分解効率が向上する。
【００２８】
（第３の実施形態）
次に、本発明の第３の実施形態に係る汚れ分解装置について、図６及び図７（ａ）（ｂ）を参照して説明する。本装置１は、空間９内の気圧を減圧する減圧部（減圧手段）８をさらに備え、オゾン発生部３が空間９内にオゾンの供給を開始する前に、減圧部８が空間９内の気圧を減圧するものであり、その他の構成は、前記実施形態と同様である。
【００２９】
（減圧部）
減圧部８は、真空ポンプを備えた気体を引き込む装置からなる。減圧部８は、本体部２０の空間９に臨む一面に配設され、本体部２に設けられた空間９内と減圧部８とを空間的に繋ぐ減圧口１１を介して空間９内にある気体を吸い込み、この吸入した気体を減圧部８から筐体２の外部に通じる排気口１７を介して排気し、空間９内を減圧する。また、減圧部８が減圧口１１より空間９内の気体を排気する際、オゾンによる汚れ分解作用により発生する分解気体を浄化するため、活性炭による吸着除去部（不図示）を減圧口１１に設置して、分解気体中の有害成分を取り除くようにしている。また、減圧部８は、減圧を行う排気機能に加え、気圧を基に戻すための気体供給機能もある。この機能により、減圧部８は、作業終了後に空間９のオゾンを無害化するために、空間９内に酸素や霧状の水を送り込む無害化気体供給を行うことができる。なお、減圧部８及び減圧口１１は、テント状凹部１０内の本体部２０以外の蓋部３０や折畳み部４０などに設けてもよい。また、減圧口１１は、複数配置してもよい。
【００３０】
（折畳み部）
折畳み部４０には、弾性変形可能な可動式ヒンジ４２が折畳み線４１を中心として略対称に取り付けられている。これにより、可動式ヒンジ４２を手で引き出して折畳み部４０を開き、テント状凹部１０を形成した状態において、折畳み部４０が減圧部８の減圧により空間９内に引っ張られたときにも、折畳み部４０が開放した状態に保たれて壊れないようにしている。なお、この可動式ヒンジ４２は、本装置１の不使用時には、折畳み部４０から取り外すこともできる。
【００３１】
上記のように構成された本装置１を用いた消臭殺菌の手順について説明する。前記と同様に、ユーザが予め汚れ７１の位置を見付けておき、折畳み部４０を開放したテント状凹部１０により、汚れ７１を含む床面７０を覆って、ゴム６１で形成された開口周縁部６を床面７０に密着するように押さえ付ける。これにより、テント状凹部１０と汚れ７１を含む床面７０とによる密閉した空間９を形成する。
【００３２】
次に、汚れ分解装置１の電源を投入すると、減圧部８は、空間９内の気圧を減圧し、筐体２内に設けた気圧センサ（不図示）などで空間９内の気圧を測圧しながら、ユーザが予め定めた外部の大気圧より低い、ある一定気圧に達した状態で、減圧を停止する。このとき、ゴム６１よりなる開口周縁部６は、さらに押圧変形されて床面７０に強く密着される。
【００３３】
続いて、オゾン発生部３は、減圧部８が減圧後に停止状態になると、オゾンを発生し、空間９内にオゾンを供給して充満する。その後、気圧センサで測圧した空間９内の気圧が所定の大気圧近くになったとき、減圧部８により空間９内の気体を排気して予め設定した一定気圧に下がるまで減圧し、空間９内が所定の大気圧以下になるようにオゾンを供給することを繰り返す。このとき、排気によりオゾンの汚れ分解作用により発生する分解気体（例えば、酸素分子）や、開口周縁部６と床面７０との接触部分のわずかな隙間から空間９内に侵入する外部大気の一部も排気される。
【００３４】
これにより、常に空間９内の気体の一部が排気され、新しいオゾンが供給されるので、空間９内のオゾン濃度の低下を抑制することができる。このため、空間９内で、オゾンがほぼ充満された状態が続くことにより、床面７０から汚れ７１が徐々に分解される。
【００３５】
このように、本実施形態によれば、空間９内にオゾンを供給する前に、予め空間９内を減圧するので、筐体２の開口周縁部６と汚れ７１を含む床面７０との密閉性がより良くなり、従って、オゾン供給後の筐体２の空間９内からのオゾンの漏出がより強く抑制され、汚れ分解効率がさらに向上する。
【００３６】
なお、本発明は上記各実施形態の構成に限定されるものではなく、発明の趣旨を変更しない範囲で種々の変形が可能である。上記各実施形態においては、テント状凹部を有する筐体により密閉する空間を形成したが、筐体を矩形状の凹部を有する構成にして密閉する空間を形成してもよい。また、被消臭殺菌場所の広さに応じて複数個の汚れ分解装置を取り付けてもよい。
【図面の簡単な説明】
【００３７】
【図１】本発明の第１の実施形態に係る汚れ分解装置の斜視図。
【図２】（ａ）は上記汚れ分解装置の側面図、（ｂ）は同装置の断面図。
【図３】（ａ）は上記汚れ分解装置の折畳み途中の斜視図、（ｂ）は同装置の折畳み後の側面図。
【図４】上記汚れ分解装置の汚れ確認用光源部の使用状態を示す図。
【図５】（ａ）は本発明の第２の実施形態に係る汚れ分解装置の側面図、（ｂ）は同装置の断面図。
【図６】本発明の第３の実施形態に係る汚れ分解装置の斜視図。
【図７】（ａ）は上記汚れ分解装置の側面図、（ｂ）は同装置の断面図。
【００３８】
１  汚れ分解装置
２  筺体
３  オゾン発生部（オゾン発生手段）
５  開口
６  開口周縁部
８  減圧部（減圧手段）
９  空間
１０  テント状凹部
６１  ゴム（開口周縁部）
６２  線状片（開口周縁部）
７０  床面（面）
７１  汚れ
【図１】
2009100950.tif 000003
【図２】
2009100950.tif 000004
【図３】
2009100950.tif 000005
【図４】
2009100950.tif 000006
【図５】
2009100950.tif 000007
【図６】
2009100950.tif 000008
【図７】
2009100950.tif 000009